【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
ステアリングペン、サドルペン、後輪の固定手段など、車両のさらなる部品の固定オプションを提供するためのチューブ構造を備える自転車用フレームであって、前記チューブ構造は、
−実質的に水平方向に延びるトップチューブと、
−前記トップチューブとのチューブ交差部から下向きに、前記トップチューブの実質的に後側における前記トップチューブに対する固定部から延びるサドルチューブと、
−前記サドルチューブの実質的に下側における前記サドルチューブとのチューブ交差部から、前記サドルチューブの前記トップチューブに対する前記固定部よりも前方に配置される前記トップチューブでの接続部に向けて延びるボトムチューブと、
−前記トップチューブに接続されたチューブ交差部によって、ある角度で配置されるヘッドチューブとを備え、
−前記ボトムチューブは前記トップチューブの上側よりも上に所定距離まで延び、チューブ交差部で前記トップチューブを横切り、前記ヘッドチューブは前記トップチューブより上で前記ボトムチューブに固定される、自転車用フレーム。
【請求項２】
前記ボトムチューブは、前記自転車の駆動エンジンにエネルギーを供給するための駆動バッテリを受け入れるように配置され、好ましくは、前記駆動バッテリは、前記トップチューブを交差して延びる、請求項１に記載の自転車用フレーム。
【請求項３】
前記ボトムチューブの内部は、好ましくは前記ボトムチューブの底部側のアクセス開口部から延び、前記自転車に機能を提供するための少なくとも１つのユーティリティ構成要素を受け入れるための、連続する収容空間を画定する、請求項１または請求項２に記載の自転車用フレーム。
【請求項４】
前記トップチューブの後側は、その後側のアクセス開口部から延びる収容空間を画定する、請求項１から請求項３のいずれか１項に記載のフレーム。
【請求項５】
前記トップチューブの前側は、その前側のアクセス開口部から延びる収容空間を画定する、請求項１から請求項４のいずれか１項に記載のフレーム。
【請求項６】
前記自転車の駆動エンジンにエネルギーを供給するのに適している駆動バッテリが前記ボトムチューブに配置可能または配置される、請求項１から請求項５のいずれか１項に記載のフレーム。
【請求項７】
クランクシャフトチューブが、前記ボトムチューブの前側および／または底部側に配置される、請求項１から請求項６のいずれか１項に記載のフレーム。
【請求項８】
前記トップチューブは前記ボトムチューブよりも太く、前記トップチューブと前記ボトムチューブとの間のチューブ交差部において、前記ボトムチューブは前記トップチューブを通って延びる、請求項１から請求項７のいずれか１項に記載のフレーム。
【請求項９】
前記ボトムチューブは前記トップチューブよりも太く、前記トップチューブと前記ボトムチューブとの間のチューブ交差部において、前記トップチューブは前記ボトムチューブを通って延びる、請求項１から請求項８のいずれか１項に記載のフレーム。
【請求項１０】
前記トップチューブは、好ましくは前記ボトムチューブとのチューブ交差部に、肉厚部、拡張部、張出部、または膨張部が設けられる、請求項１から請求項９のいずれか１項に記載のフレーム。
【請求項１１】
前記ボトムチューブは、好ましくは前記トップチューブとのチューブ交差部に、肉厚部、拡張部、張出部、または膨張部が設けられる、請求項１から請求項１０のいずれか１項に記載のフレーム。
【請求項１２】
チューブ交差部において、より細いチューブに開口部を設け、前記開口部は、より太いチューブの長手方向にこの開口部を通る通路を形成するためのものである、請求項１から請求項１１のいずれか１項に記載のフレーム。
【請求項１３】
前記より細いチューブの前記開口部は、好ましくは横断する、貫通開口部によって、または前記より細いチューブの壁部から材料を除去することによって形成される、請求項１２に記載のフレーム。
【請求項１４】
前記トップチューブと前記ヘッドチューブとの間のチューブ交差部は、前記駆動エンジン用のエネルギー供給ケーブルなどのケーブルを通過させるための開口部などの通路を含む、請求項１から請求項１３のいずれか１項に記載のフレーム。
【請求項１５】
前記トップチューブは、好ましくは前記トップチューブの表面と実質的に面一に整列された、制御パネルまたはディスプレイなどのユーティリティ構成要素を中に配置するための深部または凹部を含む、請求項１から請求項１４のいずれか１項に記載のフレーム。
【請求項１６】
前記トップチューブは平坦な表面を有し、前記平坦な表面は、それに、またはその上に、またはその中に、制御パネルまたはディスプレイなどのユーティリティ構成要素を配置するためのものである、請求項１から請求項１５のいずれか１項に記載のフレーム。
【請求項１７】
前記ボトムチューブは、前記車両のサブシステムを中に配置するために配置される付属チューブである、請求項１から請求項１６のいずれか１項に記載のフレーム。
【請求項１８】
前記トップチューブは、前記車両に追加機能を提供するために、前記車両のサブシステムを中に配置するように配置される付属チューブである、請求項１から請求項１７のいずれか１項に記載のフレーム。
【請求項１９】
前記トップチューブは、水平に対して最大２０°、好ましくは最大１５°、さらに好ましくは最大１０°、さらに好ましくは最大５°の角度で延在する、請求項１から請求項１８のいずれか１項に記載のフレーム。
【請求項２０】
第１の自転車カセットの第１のカセット接触子と接続するための自転車コネクタを備え、前記自転車コネクタは、
−いくつかのコネクタ極を含み、前記第１のカセット接触子と接続するための、第１のコネクタ接触子と、
−対応のサブシステムと接続するための少なくとも１つの出力接触子とを含み、
−前記自転車コネクタは、チューブアセンブリの対応の第１のチューブ要素に配置可能である、請求項１から請求項１９のいずれか１項に記載のフレーム。
【請求項２１】
前記第１の自転車カセットおよび第２の自転車カセットの第１および第２のカセット接触子と接続するための前記自転車コネクタを備え、前記自転車コネクタは、
−いくつかの第２の接触子極を含み、前記第２のカセット接触子と接続するための、第２のコネクタ接触子と、
−前記第１のカセット接触子の前記いくつかの第１の接触子極の少なくとも一部を前記第２のコネクタ接触子の前記第２の接触子極の少なくとも一部と接続するための、ワイヤを含むなど、いくつかの極コネクタとを含む、請求項１から請求項２０のいずれか１項に記載のフレーム。
【請求項２２】
好ましくは前記自転車コネクタの一部である、少なくともいくつかの極コネクタを保護するための極コネクタハウジングを備える、請求項２１に記載のフレーム。
【請求項２３】
前記自転車コネクタは、好ましくは相互の向きを与えるために、前記第１のコネクタ接触子を前記第２のコネクタ接触子と相互に接続するためのブリッジ要素を含む、請求項２１または請求項２２に記載のフレーム。
【請求項２４】
前記第１のコネクタ接触子および／または前記第２のコネクタ接触子は、充電電流をバッテリに、および／または充電電流を前記自転車の駆動モータに伝達するための接触子極を含む、請求項２１から請求項２３のいずれか１項に記載のフレーム。
【請求項２５】
前記第１のコネクタ接触子および／または前記第２のコネクタ接触子は、サブシステムからまたはサブシステムに情報信号または制御信号を転送することを目的とする接触子極を含む、請求項２１から請求項２４のいずれか１項に記載のフレーム。
【請求項２６】
充電電流を目的とする接触子極と、情報信号または制御信号を目的とする接触子極との組み合わせを備える、請求項２４または請求項２５に記載のフレーム。
【請求項２７】
前記自転車コネクタは、それぞれのカセット接触子およびコネクタ接触子の相互接続中に、それぞれのコネクタ接触子を案内および／またはセンタリングするための案内手段を含む、請求項１から請求項２６のいずれか１項に記載のフレーム。
【請求項２８】
前記接触子は、ペン接触子またはボール接触子を含む、請求項１から請求項２７のいずれか１項に記載のフレーム。
【請求項２９】
前記自転車コネクタおよび少なくとも１つのチューブ要素の相互の相対的なサイズ決めは、前記自転車コネクタがこのチューブ要素を通過可能であるようなものである、請求項１から請求項２８のいずれか１項に記載のフレーム。
【請求項３０】
前記自転車コネクタは、前記自転車コネクタによって前記第１のチューブ要素と第２のチューブ要素との間のコネクタ接続をあたえる目的で、このチューブ要素と前記第２のチューブ要素との間の結合または屈曲の位置に配置するために、この結合または屈曲に向かって通過可能である、請求項２９に記載のフレーム。
【請求項３１】
前記第１のカセット接触子は前記自転車の前記トップチューブに機能的に配置可能であり、前記第２のカセット接触子は前記自転車の前記ボトムチューブに機能的に配置可能である、請求項２１から請求項３０のいずれか１項に記載のフレーム。
【請求項３２】
機能的位置で前記自転車コネクタを固定するための固定手段を備える、請求項２１から請求項３１のいずれか１項に記載のフレーム。
【請求項３３】
前記固定手段は、前記ヘッドチューブの下側および／または上側から操作可能であるように配される、請求項３２に記載のフレーム。
【請求項３４】
前記第１および第２のカセット接触子は各々、それぞれの接続機能のために配置されるか、または前記第１および第２のカセット接触子は同一である、請求項２１から請求項３３のいずれか１項に記載のフレーム。
【請求項３５】
前記チューブ要素は、その中に配置可能な自転車カセットが前記チューブ要素内において前記カセット接触子と前記コネクタ接触子との間の接続を見出すことと合う向きにおいてのみ配置可能であるように、前記カセットと相互案内形状を有する、請求項１から請求項３４のいずれか１項に記載のフレーム。
【請求項３６】
請求項１から請求項３５のいずれか１項に記載の自転車用の、請求項２０〜３５のいずれか１項に記載の自転車コネクタであって、
−いくつかの接触子極を含み、前記第１のカセット接触子と接続するための、第１のコネクタ接触子と、
−対応のサブシステムと接続するための少なくとも１つの出力接触子とを備え、
−前記自転車コネクタは、チューブアセンブリの対応の第１のチューブ要素に配置可能である、自転車コネクタ。
【請求項３７】
−いくつかの第２の接触子極を含み、前記第２のカセット接触子と接続するための、第２のコネクタ接触子と、
−前記第１のカセット接触子の前記第１の接触子極の少なくとも一部を前記第２のコネクタ接触子の前記いくつかの第２の接触子極の少なくとも一部と接続するための、ワイヤを含むなど、いくつかの極コネクタとを含む、請求項３５に記載の自転車コネクタ。
【請求項３８】
好ましくは相互の向きを与える目的で、前記第１のコネクタ接触子を前記第２のコネクタ接触子と相互に接続するためのブリッジ要素を備える、請求項３６または請求項３７に記載の自転車コネクタ。
【請求項３９】
自転車に対応の機能を提供するための前記自転車の制御ユニットなど、いくつかのサブシステムの少なくとも第１のサブシステムを保持するための自転車カセットであって、前記第１の自転車カセットは、
−前記チューブアセンブリのうちの少なくとも第１のチューブ要素に配置可能であり、
−いくつかの接触子極を含み、内部で、前記第１の自転車カセットにおいて前記いくつかのサブシステムのうちの前記少なくとも第１のサブシステムと結合可能である、第１のカセット接触子を含む、自転車カセット。
【請求項４０】
前記自転車カセットは、
−前記チューブアセンブリの少なくとも第２のチューブ要素に配置可能であり、
−いくつかの接触子極を含み、内部で前記いくつかのサブシステムのうちの少なくともあるさらなるサブシステムと結合可能である第２のカセット接触子を含む、請求項３９に記載の自転車カセット。
【請求項４１】
請求項１〜３８のいずれか１項に記載のフレームおよび／または請求項３９もしくは請求項４０に記載の自転車カセットを備える自転車。